(57)【特許請求の範囲】
【請求項１】
レンジフードの開口部に取付けられて使用されるレンジフード用アジャスタパネルであって、
所定の一定幅に形成された第１パネルエレメントと、この第１パネルエレメントと同一または略同一の一定幅に形成された第２パネルエレメントとが伸縮自在に連結されており、
上記第１パネルエレメントの左右両側縁部の背面側には、この第１パネルエレメントの背面側に重ねられた上記第２パネルエレメントをこの第１パネルエレメントに沿ってスライド自在に保持するように、上記第２パネルエレメントの左右両側縁部を嵌入させるための凹溝部を形成する左右一対の突起部が設けられ、
上記第２パネルエレメントの背面側には、上記凹溝部に嵌入するこの第２パネルエレメントの左右両側縁部よりも幅広な左右一対の突出縁部が設けられているとともに、
上記第１パネルエレメントと第２パネルエレメントとは、これら両パネルエレメントが伸長する方向へ弾性部材によって弾発付勢されていることを特徴とする、レンジフード用アジャスタパネル。
【請求項２】
上記第２パネルエレメントのうち、この第２パネルエレメントと第１パネルエレメントとが最も伸長したときに上記第１パネルエレメントと重なる箇所に、この第２パネルエレメントの長手方向に延びる長孔が設けられているとともに、
上記第１パネルエレメントには、上記長孔に挿通する固定ピンが取付けられており、かつ、
この固定ピンと上記第２パネルエレメントの背面側に別途設けられた支持部との両者間に、上記弾性部材が連結されている、請求項１に記載のレンジフード用アジャスタパネル。
【発明の詳細な説明】
【０００１】
【技術分野】
本願発明は、レンジフード用アジャスタパネル、さらに詳しくは、一般家庭や飲食店のキッチンなどに設置されているレンジフードの開口部に取付けて用いるアジャスタパネルに関する。
【０００２】
【発明が解決しようとする課題】
周知のとおり、家庭の台所などに設置されている換気扇をそのまま使用したのでは、換気扇やその他の部位に油成分などが短期間で付着し、早期に汚れてしまう。また、その清掃も面倒である。そこで、従来では、たとえば図８に示すように、換気扇９が装着されているレンジフード６の開口部６ａに、レンジフード用フィルタ７を取付ける手段が採用されている。
【０００３】
しかしながら、上記レンジフード６やレンジフード用フィルタ７としては、従来より種々のタイプのものが販売されている実情があり、予め準備したレンジフード用フィルタ７が、常に、所望のレンジフード６のサイズに合致するとは限らない。すなわち、たとえば各家庭のレンジフード６にレンジフード用フィルタ７を取付けて、これを定期的に交換するといったサービスを提供するような場合、このサービス提供者が予め準備したレンジフード用フィルタ７が、レンジフード６の開口部６ａのサイズに合致しない場合がある。また、このようなケース以外として、たとえば消費者が自己の家庭に設置されているレンジフード６とはサイズが合致しないレンジフード用フィルタ７を誤って購入し、準備してしまうような場合もある。
【０００４】
このため、従来では、たとえば図９に示すように、レンジフード６に取付けられたレンジフード用フィルタ７，７の横幅のサイズが、レンジフード６の開口部６ａの横幅と一致しないことに原因して、これらレンジフード用フィルタ７，７の横に隙間Ｓが生じる場合があった。その結果、従来では、油汚れなどが上記隙間Ｓを通過してレンジフード６の奥へ進入してしまい、その内部の換気扇９やその周辺が汚れてしまうという不具合が生じていた。
【０００５】
本願発明は、このような事情のもとで考え出されたものであって、レンジフードの開口部とレンジフード用フィルタとのサイズが合致せず、レンジフード用フィルタの横に隙間が生じるような場合に、この隙間を簡易な手段によって適切にかつ手際良く解消することができるようにし、もってレンジフード内の汚れ防止を的確に図れるようにすることをその課題としている。
【０００６】
【発明の開示】
上記の課題を解決するため、本願発明では、次の技術的手段を講じている。
【０００７】
すなわち、本願発明は、レンジフードの開口部に取付けられて使用されるレンジフード用アジャスタパネルであって、所定の一定幅に形成された第１パネルエレメントと、この第１パネルエレメントと同一または略同一の一定幅に形成された第２パネルエレメントとが伸縮自在に連結されており、上記第１パネルエレメントの左右両側縁部の背面側には、この第１パネルエレメントの背面側に重ねられた上記第２パネルエレメントをこの第１パネルエレメントに沿ってスライド自在に保持するように、上記第２パネルエレメントの左右両側縁部を嵌入させるための凹溝部を形成する左右一対の突起部が設けられ、上記第２パネルエレメントの背面側には、上記凹溝部に嵌入するこの第２パネルエレメントの左右両側縁部よりも幅広な左右一対の突出縁部が設けられているとともに、上記第１パネルエレメントと第２パネルエレメントとは、これら両パネルエレメントが伸長する方向へ弾性部材によって弾発付勢されていることを特徴としている。
【０００８】
本願発明においては、レンジフードの開口部の幅とレンジフード用フィルタとの幅が合致せず、レンジフード用フィルタの横に隙間が生じる場合に、この隙間の位置に本願発明に係るレンジフード用アジャスタパネルを取付けることによって、この隙間をなくし、油成分などの汚れが上記隙間を通過してレンジフードの奥へ進入することを防止できることとなる。とくに、本願発明では、レンジフード用アジャスタパネルを構成する第１パネルエレメントと第２パネルエレメントとは同一または略同一の一定幅を有するものであるから、レンジフード用フィルタの横に生じる一定幅の隙間の全域または略全域を、このレンジフード用アジャスタパネルによって各所均等な状態に塞ぐことが可能となる。したがって、レンジフードの開口部のサイズに合致しないレンジフード用フィルタを有効に使用しつつ、レンジフード内の汚れ防止を図ることができるという格別な効果が得られる。
【０００９】
また、本願発明に係るアジャスタパネルは、第１パネルエレメントと第２パネルエレメントとを伸縮自在に連結することにより構成されているために、アジャスタパネルの全長を伸縮調整することによって、このアジャスタパネルを種々の開口幅のレンジフードに取付けて使用することが可能となる。したがって、レンジフードの種類と同種類数だけアジャスタパネルを予め製作して準備しておく必要もなくなり、アジャスタパネルの準備に要する手間やコストを少なくできるという効果も得られる。
【００１０】
さらに、重要な効果として、本願発明では、上記第１パネルエレメントと第２パネルエレメントとは、これら両者が伸長する方向に弾性部材によって弾発付勢されているために、このアジャスタパネルをレンジフードの開口部に取付けた状態では、これら第１パネルエレメントと第２パネルエレメントとが伸長しようとする力を利用し、このアジャスタパネルの両端部をレンジフードの開口部に突っ張らせた状態とすることができる。したがって、この突っ張り力を利用して、レンジフードの開口部へアジャスタパネルを確実に取付けることが可能となり、レンジフードの開口部からアジャスタパネルが不用意に落下するといった事態を解消することができるという効果も得られる。
【００１１】
本願発明においてはまた、上記第１パネルエレメントの左右両側縁部の背面側には、この第１パネルエレメントの背面側に重ねられた上記第２パネルエレメントをこの第１パネルエレメントに沿ってスライド自在に保持するように、上記第２パネルエレメントの左右両側縁部を嵌入させるための凹溝部を形成する左右一対の突起部が設けられている。
【００１２】
このような構成によれば、第２パネルエレメントを第１パネルエレメントの背面側に重ね合わせ、かつその両側縁部を第１パネルエレメントの凹溝部に嵌入させただけの簡単な構造によって、これら２つのパネルエレメントを伸縮自在に連結することができ、各パネルエレメントの構成を簡素なものにすることができる。また、上記凹溝部を形成する突起部は第１パネルエレメントの背面側に設けられているとともに、上記第２パネルエレメントの正面側は第１パネルエレメントの背面に摺接させればよいから、これら２つのパネルエレメントの正面を凹凸の多い複雑な形状に形成する必要もない。これら２つのパネルエレメントの正面側は、見栄えの良好な平面状または平面に近い形態にでき、アジャスタパネルをレンジフードに装着して正面から見た場合の外観体裁を良好にすることができるという利点も得られる。
【００１３】
本願発明においてはさらに、上記第１パネルエレメントの背面側に設けられた左右一対の突起部によって形成された凹溝部に第２パネルエレメントの左右両側縁部を嵌入することにより、これら２つのパネルエレメントを伸縮自在に連結した構成において、上記第２パネルエレメントの背面側には、上記凹溝部に嵌入するこの第２パネルエレメントの左右両側縁部よりも幅広な左右一対の突出縁部が設けられている。
【００１４】
このような構成によれば、上記第２パネルエレメントの左右一対の突出縁部の幅を第１パネルエレメントの幅と正確に一致させることが可能となる。すなわち、第１パネルエレメントの左右一対の突起部によって形成された凹溝部に第２パネルエレメントの左右両側縁部を嵌入させた構造では、この第２パネルエレメントの左右両側縁部の位置における幅を第１パネルエレメントの幅と正確に一致させることは困難であり、第２パネルエレメントの幅は、第１パネルエレメントに設けられている突起部の幅の寸法分だけ第１パネルエレメントよりも幅狭となる。ところが、上記のように、第２パネルエレメントにその左右両側縁部よりも幅広な突出縁部を別途設ければ、この突出縁部を第１パネルエレメントの幅と正確に一致させることが可能となる。したがって、第１パネルエレメントと第２パネルエレメントとの幅を正確に一致させることにより、これら両パネルエレメントの側面部に段差が生じないようにすることができ、所定の一定幅に形成されるレンジフードの開口部の隙間をこのアジャスタパネルによって適切に閉塞することができるという利点が得られる。
【００１５】
本願発明の好ましい実施の形態では、上記第２パネルエレメントのうち、この第２パネルエレメントと第１パネルエレメントとが最も伸長したときに上記第１パネルエレメントと重なる箇所に、この第２パネルエレメントの長手方向に延びる長孔が設けられているとともに、上記第１パネルエレメントには、上記長孔に挿通する固定ピンが取付けられており、かつ、この固定ピンと上記第２パネルエレメントの背面側に別途設けられた支持部との両者間に、上記弾性部材が連結されている構成とすることができる。
【００１６】
このような構成によれば、第１パネルエレメントと第２パネルエレメントとを伸縮させるときに、第２パネルエレメントの長孔に挿通する固定ピンがこの長孔内で相対移動することとなり、上記固定ピンが長孔内で相対移動するストローク範囲内において上記２つのパネルエレメントが伸縮自在となる。すなわち、上記２つのパネルエレメントは弾性部材によって伸長する方向に弾発付勢されているものの、上記固定ピンと長孔との両者によって２つのパネルエレメントの伸縮範囲が規制されることとなる。したがって、上記２つのパネルエレメントの連結状態が適切に保持されることとなり、上記２つのパネルエレメントの連結状態が上記弾性部材の弾発力に原因して抜け外れてしまうようなことを解消することができる。
【００１７】
また、上記第２パネルエレメントに設けられている長孔は、第１パネルエレメントと第２パネルエレメントとが最も伸長した状態において第１パネルエレメントと重なる位置に設けられているために、上記２つのパネルエレメントが最も伸長したときは勿論のこと、これら２つのパネルエレメントが収縮するように設定された際においても、上記長孔は第１パネルエレメントの背面側に隠れることとなる。したがって、アジャスタパネルを正面から見た場合に、上記長孔が不当に見えるといったことはなく、アジャスタパネルの外観体裁を良好なものにでき、さらには汚れ成分が上記長孔を通過してレンジフードの奥へ進入するといった不具合も防止することができるという利点が得られる。
【００１８】
【発明の実施の形態】
以下、本願発明の好ましい実施の形態について、図面を参照しつつ具体的に説明する。
【００１９】
図１（ａ）は、本願発明に係るレンジフード用アジャスタパネルＡの一例を示す正面図であり、図１（ｂ）は、その背面図である。図２は、図１（ｂ）のＸ１−Ｘ１線断面図であり、図３は、図２の要部拡大断面図である。図４は、図１（ａ）のＸ２−Ｘ２線断面図である。
【００２０】
図１に示すように、このアジャスタパネルＡは、第１パネルエレメント１、第２パネルエレメント２、および弾性部材の一例としてのバネ３を具備して構成されている。
【００２１】
上記第１パネルエレメント１および第２パネルエレメント２は、たとえばアルミ製またはアルミ合金製であり、その概略形状は、いずれも正面視においてやや長細な矩形状をなすプレート状である。上記第１パネルエレメント１の各所の幅は、所定の一定幅Ｌである。これに対し、上記第２パネルエレメント２についても、後述するようにその幅は上記第１パネルエレメント１と同一寸法幅Ｌである。
【００２２】
図２および図３に示すように、上記第１パネルエレメント１の左右両側縁部１ａ，１ａの背面側には、上記第２パネルエレメント２の左右両側縁部２ａ，２ａをスライド自在に嵌入させるための凹溝部１０，１０が設けられている。これらの凹溝部１０，１０は、第１パネルエレメント１の背面側に、この第１パネルエレメント１の厚み方向に突出する起立部１１ａと、この起立部１１ａからこの第１パネルエレメント１の幅方向中央側へ屈曲した形態の屈曲部１１ｂとを有する左右一対の突起部１１，１１を設けることにより形成されたものである。
【００２３】
上記一対の突起部１１，１１は、第１パネルエレメント１の長手方向の全長にわたって一連に設けられている結果、上記凹溝部１０，１０も第１パネルエレメント１の長手方向に沿って一連に設けられている。したがって、第１パネルエレメント１の基本的な断面形状は各所一様であり、この第１パネルエレメント１をたとえば押出し成形によって製作することが可能である。
【００２４】
上記第２パネルエレメント２は、その左右両側縁部２ａ，２ａが上記凹溝部１０，１０に嵌入されることにより、上記第１パネルエレメント１の背面側に重なったままこの第１パネルエレメント１に相対してスライド自在に保持され、これにより上記２つのパネルエレメント１，２は伸縮自在に連結されている。
【００２５】
上記第２パネルエレメント２の背面側には、左右一対の突出縁部２０，２０が設けられている。これら一対の突出縁部２０，２０は、この第２パネルエレメント２の背面部からこの第２パネルエレメント２の厚み方向に突出する起立部２０ａと、この起立部２０ａから第２パネルエレメント２の幅方向外側へ屈曲した形態の屈曲部２０ｂとから構成されており、上記第２パネルエレメント２の長手方向に沿って一連に設けられている。したがって、この第２パネルエレメント２についても、上記第１パネルエレメント１と同様に、その基本的な断面形状は各所一様であり、押出し成形によって製作することが可能である。
【００２６】
この第２パネルエレメント２は、その両側縁部２ａ，２ａを第１パネルエレメント１の突起部１１，１１によって形成された凹溝部１０，１０間に嵌入させるものであるから、これら両側縁部２ａ，２ａの左右両端面間の幅Ｌａは、第１パネルエレメント１の幅Ｌよりも小さくなっている。しかし、上記一対の突出縁部２０，２０の左右両端面間の幅Ｌは、上記幅Ｌａよりも大きな幅に形成されており、上記第１パネルエレメント１の幅Ｌと同一寸法に設定されている。
【００２７】
なお、上記一対の突出縁部２０，２０は、２つのパネルエレメント１，２を相互にスライドさせるときの支障にならないように、第１パネルエレメント１の突起部１１，１１との干渉を避けるように設けられている。具体的には、これら突出縁部２０，２０は、第２パネルエレメント２の両側縁部２ａ，２ａとの相互間に、第１パネルエレメント１の各突起部１１の屈曲部１１ｂをスライド自在に嵌入させるための凹溝部２１を形成するように構成されている。このような構成によれば、上記凹溝部２１と上記突起部１１の屈曲部１１ｂとの嵌合作用によっても、２つのパネルエレメント１，２をスライドガイドさせることができ、これら２つのパネルエレメント１，２を一層がたつきの少ない状態に連結できるという利点が得られる。ただし、２つのパネルエレメント１，２のスライドガイドは、既述した凹溝部１０，１０と第２パネルエレメント２の両側縁部２ａ，２ａとの嵌合作用によって得られるため、必ずしも上記のように構成する必要はない。
【００２８】
図１（ｂ）および図４に示すように、上記第２パネルエレメント２には、この第２パネルエレメント２の長手方向に延びる長孔４が設けられている。また、この長孔４には、第１パネルエレメント１に設けられた固定ピン５が挿通している。したがって、上記２つのパネルエレメント１，２をスライドさせると、上記長孔４内における固定ピン５の相対位置が変化することとなり、この固定ピン５が上記長孔４内において相対移動し得る一定の寸法範囲内で上記２つのパネルエレメント１，２は伸縮自在となる。
【００２９】
上記バネ３は、上記第２パネルエレメント２の背面側に配置されており、このバネ３の一端部は上記固定ピン５に、また他端部は第２パネルエレメント２の背面側に突出して設けられた支持部８に掛止して連結されている。上記バネ３は、引張バネである。したがって、このアジャスタパネルＡでは、常に、上記バネ３の弾発力によって、第２パネルエレメント２の下部が第１パネルエレメント１の下方へ突出する方向（矢印ａ方向）へ引張力を受け、これら全体が伸長するように、これら２つのパネルエレメント１，２が常時弾発付勢されている。なお、上記支持部８は、たとえば上記第２パネルエレメント２の一部をその背面側へ突出させるようにプレス加工して形成すればよい。
【００３０】
次に、上記構成のレンジフード用アジャスタパネルＡの使用例、ならびに作用について説明する。
【００３１】
まず、先に述べた図８および図９に示すように、所望のレンジフード６の開口部６ａにレンジフード用フィルタ７を装着する場合には、これらレンジフード用フィルタ７の横幅のサイズが上記開口部６ａの横幅と合致しないことに原因し、上記レンジフード用フィルタ７の横に一定幅の隙間Ｓが発生する場合がある。このような場合には、図５に示すように、上記アジャスタパネルＡを上記隙間Ｓの位置へ取付ければよい。なお、上記レンジフード用フィルタ７としては、アルミ製またはアルミ合金製の正面視中空矩形状の枠体７０に、難燃性のガラス繊維製フィルタ７１を貼設したものなどが用いられる。
【００３２】
上記アジャスタパネルＡは、第１パネルエレメント１と第２パネルエレメント２とがスライド自在に連結されており、これらの全長Ｈを伸縮調整自在であるから、このアジャスタパネルＡの全長Ｈを上記レンジフード６の開口部６ａの高さ寸法に一致させることにより、取付けることができる。具体的には、上記アジャスタパネルＡの全長を、レンジフード６の開口部６ａを構成する上下の枠溝６０ａ，６０ｂの高さに合わせてから、その上下両端部、すなわち、第１パネルエレメント１の上端部１ｂと第２パネルエレメント２の下端部２ｂとを、上記レンジフード６の枠溝６０ａ，６０ｂ内に嵌入すればよい。このようにアジャスタパネルＡを伸縮自在としたことにより、一種類のアジャスタパネルＡを種々の開口幅のレンジフード６に取付けることができる。
【００３３】
また、上記第１パネルエレメント１と第２パネルエレメント２とは、バネ３の弾発力によって常時伸長する方向に弾力付勢されているために、このアジャスタパネルＡは、上記枠溝６０ａ，６０ｂをその上下方向に突っ張った状態で取付けることができる。したがって、このアジャスタパネルＡが枠溝６０ａ，６０ｂから不用意に外れ難くなり、その取付けが確実なものとなる。
【００３４】
上記のようにして、アジャスタパネルＡによってレンジフード６の隙間Ｓを塞げば、もはや大量の汚れ成分が上記隙間Ｓを通過してレンジフード６の奥へ進入することが防止される。とくに、上記アジャスタパネルＡは、第２パネルエレメント２の背面側に、第１パネルエレメント１の幅Ｌと同一幅Ｌの突出縁部２０，２０を設けた構成であるために、これら両パネルエレメント１，２の各左右両側面１７，２７どうしを段差の無い面一状態に設定することができる。このため、このアジャスタパネルＡとその隣りに位置するレンジフード用フィルタ７とを密接または略密接させ、これら両者間に大きな隙間が形成されないように設定し、この部分からの汚れの進入を効率良く阻止することができる。
【００３５】
また、上記アジャスタパネルＡでは、バネ３などはその背面側に配置されている他、このアジャスタパネルＡを構成する２つのパネルエレメント１，２の正面には、固定ピン５の頭部以外の不体裁な突起部なども設けられていない。さらには、第２パネルエレメント２に設けられている長孔４は、アジャスタパネルＡが最大限に伸長した場合であっても、第１パネルエレメント１の背面側に隠れて見えないようになっている。したがって、上記長孔４の形成箇所を汚れなどが不当に通過しないことは勿論のこと、これらアジャスタパネルＡの取付け使用時における体裁をも良好なものにできることとなる。さらには、油汚れなどの汚れ成分は、略平面状のアジャスタパネルＡの正面部分に付着することとなって、背面側のバネ３などの汚れが極力防止でき、清掃なども容易となる。
【００３６】
なお、上記実施の形態では、レンジフード用フィルタ７の横に形成される隙間Ｓの幅とアジャスタパネルＡの幅Ｌとが一致している場合について説明したが、上記隙間Ｓの幅が一定せず、その幅が多岐にわたる場合には、アジャスタパネルＡとして種々の寸法幅のものを予め複数種類準備して対処すればよい。ただし、いずれの場合であっても、アジャスタパネルＡは伸縮調整することによって種々の開口高さのレンジフードに対応できるものであるから、複数種類準備するアジャスタパネルＡとしては、幅寸法が相違するもののみでよい。したがって、予め準備しておくアジャスタパネルＡは少数種類でよく、その準備に要する経済的負担は少なくて済む。
【００３７】
上述した実施の形態では、第２パネルエレメント２にその左右両側縁部２ａ，２ａよりも幅広な左右一対の突出縁部２０，２０を設けて、これら突出縁部２０，２０の幅を第１パネルエレメントと同一幅に設定したが、本願発明は必ずしもこのように構成する必要はない。本願発明では、たとえば図６に示すように、第２パネルエレメント２の左右両側縁部２ａ，２ａを第１パネルエレメント１の凹溝部１０，１０に嵌入させた構成において、上述した突出縁部２０を有しない構成としてもよい。たとえば上記突出縁部２０に代えて、単なる起立部２０ａのみを設けた構成にしてもよい。この場合であっても、実質的には、第２パネルエレメント２の幅（最大幅）Ｌａは、第１パネルエレメント１の幅Ｌと比較して、各突起部１１の肉厚ｔの２倍の寸法分だけ小さくなるに過ぎない。したがって、上記肉厚ｔが小さい場合には、上記寸法Ｌ，Ｌａどうしを同一寸法に近い値とすることができる。本願発明では、必ずしも厳密な意味で２つのパネルエレメントの幅を正確に一致させる必要はなく、たとえば図７に示すように、２つのパネルエレメント１，２の各側面部１７，２７間に僅かな段差Ｌｂが存在してもよい。
【００３８】
その他、本願発明は、第１パネルエレメントと第２パネルエレメントとの具体的な形状やサイズ、これら２つのパネルエレメントの具体的な連結構造、およびこれらパネルエレメントを弾発付勢するための具体的な機構などについても上記実施の形態のように限定されず、各部の具体的な構成は種々に設計変更自在である。
【図面の簡単な説明】
【図１】（ａ）は、本願発明に係るレンジフード用アジャスタパネルの一例を示す正面図、（ｂ）は、その背面図。
【図２】図１（ｂ）のＸ１−Ｘ１線断面図。
【図３】図２の要部拡大断面図。
【図４】図１（ａ）のＸ２−Ｘ２線断面図。
【図５】レンジフード用アジャスタパネルの使用状態の一例を示す斜視図。
【図６】本願発明に係るレンジフード用アジャスタパネルの他の例を示す断面図。
【図７】図６に示すレンジフード用アジャスタパネルの正面図。
【図８】レンジフードの一例を示す斜視図。
【図９】レンジフードにレンジフード用フィルタを装着した状態の一例を示す斜視図。
【符号の説明】
１  第１パネルエレメント
１ａ  側縁部（第１パネルエレメントの）
２  第２パネルエレメント
２ａ  側縁部（第２パネルエレメントの）
３  バネ（弾性部材）
４  長孔
５  固定ピン
６  レンジフード
７  レンジフード用フィルタ
８  支持部
１０  凹溝部
１１  突起部
２０  突出縁部
Ａ  レンジフード用アジャスタパネル
【図１】
0003654969.tif 000002
【図２】
0003654969.tif 000003
【図３】
0003654969.tif 000004
【図４】
0003654969.tif 000005
【図５】
0003654969.tif 000006
【図６】
0003654969.tif 000007
【図７】
0003654969.tif 000008
【図８】
0003654969.tif 000009
【図９】
0003654969.tif 000010